(57)【要約】      （修正有）【課題】雄側ねじ山と雌側ねじ山との螺合状態の解除を抑制可能な薬剤体容器を提供すること。【解決手段】薬剤体容器であって、支持部材２０と、カバー部材４０とを備え、支持部材２０及びカバー部材４０のいずれか一方は雄ねじ部２５を有し、他方は雌ねじ部４７を有し、雄ねじ部２５は、雄ねじ部本体２６と雄側ねじ山２７とを有し、雌ねじ部４７は、雌ねじ部本体４８と雌側ねじ山４９とを有し、支持部材２０及びカバー部材４０のうち雄ねじ部２５を有する部材は、雌ねじ部本体の外周面４８ｂと対向する対向壁３２を有し、対向壁３２は、雌ねじ部本体４８が雄ねじ部２５に対して外向きに相対変位したときに雌ねじ部本体の外周面に当接することにより両ねじ山２７，４９を上下方向に互いに重なり合っている状態に維持する内側拘束部３２ａを有すること。【選択図】図２
2015067313.tif 000002
【特許請求の範囲】
【請求項１】
薬剤を含むとともに保形性を有する薬剤体を収容するための収容空間を有する薬剤体容器であって、
上方に開口する筒状であり、前記薬剤体を支持する支持部材と、
下方に開口する筒状であり、前記支持部材と螺合することにより前記支持部材とともに前記収容空間を形成するカバー部材と、を備え、
前記支持部材及び前記カバー部材のいずれか一方は雄ねじ部を有し、他方は、前記雄ねじ部に対して外側から螺合する雌ねじ部を有し、
前記雄ねじ部は、円筒状の雄ねじ部本体と、前記雄ねじ部本体の外周面から外向きに突出する雄側ねじ山とを有し、
前記雌ねじ部は、前記雄ねじ部本体の径よりも大きな径を有する円筒状の雌ねじ部本体と、前記雄側ねじ山と螺合するように前記雌ねじ部本体の内周面から内側に突出する雌側ねじ山とを有し、
前記支持部材及び前記カバー部材のうち前記雄ねじ部を有する部材は、前記雄側ねじ山と前記雌側ねじ山とが互いに螺合した螺合状態において前記雌ねじ部本体の外周面と隙間をおいて対向する対向壁をさらに有し、この対向壁は、前記雌ねじ部本体が前記雄ねじ部に対して外向きに相対変位したときに前記雌ねじ部本体の外周面に対して当該雌ねじ部本体の径方向の外側から当接することにより前記雄側ねじ山と前記雌側ねじ山とを上下方向に互いに重なり合っている状態に維持する内側拘束部を有する薬剤体容器。
【請求項２】
請求項１に記載の薬剤体容器において、
前記内側拘束部は、前記雌ねじ部本体の周方向に沿って連続的につながる形状を有する薬剤体容器。
【請求項３】
請求項２に記載の薬剤体容器において、
前記支持部材は、前記雄ねじ部及び前記対向壁に加え、前記対向壁の下端と前記雄ねじ部本体の外周面とを接続する接続壁を有し、
前記カバー部材は、前記雌ねじ部を有し、
前記接続壁は、前記周方向に沿って連続的につながる形状を有しており、その上端が前記周方向の全域にわたって前記対向壁の下端につながるとともにその下端が前記周方向の全域にわたって前記雄ねじ部本体の外周面につながっている薬剤体容器。
【請求項４】
請求項３に記載の薬剤体容器において、
前記支持部材は、前記薬剤体の下部を保持する円筒状の保持部をさらに有し、
前記雄ねじ部本体は、その内周面で前記薬剤体を保持するように当該内周面が前記薬剤体の外周面に当接する形状を有しかつその下端が前記保持部の上端に接続されている薬剤体容器。
【請求項５】
請求項１又は２に記載の薬剤体容器において、
前記支持部材は、前記雌ねじ部を有し、
前記カバー部材は、前記雄ねじ部及び前記対向壁に加え、前記対向壁の上端と前記雄ねじ部本体の外周面とを接続する接続壁と、少なくとも下方に開口する円筒状であり前記薬剤体の上部を覆うカバー本体とを有し、
前記雄ねじ部本体は、その内周面で前記薬剤体を保持するように当該内周面が前記薬剤体の外周面に当接する形状を有しかつその上端が前記カバー本体の下端に接続されている薬剤体容器。
【発明の詳細な説明】
【技術分野】
【０００１】
本発明は、芳香剤、消臭剤、脱臭剤等の薬剤を含むとともに保形性を有する薬剤体を収容する薬剤体容器に関する。
【背景技術】
【０００２】
従来、芳香剤等の薬剤を含むとともに保形性を有する薬剤体を収容する薬剤体容器が知られている。例えば特許文献１には、上方に開口する円筒状であり、保形性を有する薬剤体を支持する下部容器と、下方に開口する円筒状であり、下部容器と嵌合可能な上部容器と、を備える薬剤体容器が開示されている。前記下部容器の上端部には、上部容器の下端部と嵌合可能な下側嵌合部が設けられている。前記上部容器の下端部には、前記下側嵌合部と嵌合可能な上側嵌合部が設けられている。具体的に、前記下側嵌合部の外周面には、前記上側嵌合部に対して内側から螺合する雄側ねじ山が形成されており、前記上側嵌合部の内周面には、前記雄側ねじ山と螺合する雌側ねじ山が形成されている。これら雄側ねじ山及び雌側ねじ山が互いに螺合することにより、下部容器と上部容器とが一体となって薬剤体容器を構成する。
【先行技術文献】
【特許文献】
【０００３】
【特許文献１】特開平０７−２６５４０２号公報
【発明の概要】
【発明が解決しようとする課題】
【０００４】
上記特許文献１に記載の薬剤体容器では、当該容器が落下する等して前記下部容器及び前記上部容器の少なくとも一方に外力が作用した際に、雄側ねじ山と雌側ねじ山との螺合が外れる場合がある。例えば、上部容器に外力が作用すると、当該上部容器の下端部は自由端となっており当該上部容器の中で相対的に大きく変形するため、当該下端部、すなわち前記雌側ねじ山を有する上側嵌合部が径方向に大きく撓み変形し、これにより雄側ねじ山と雌側ねじ山との螺合関係が解除される場合がある。そうすると、薬剤体に離水が生じている場合には当該離水が下部容器と上部容器との隙間から薬剤体容器外に飛散したり、あるいは薬剤体が崩壊してその一部が前記隙間から薬剤体容器外に飛散したりするおそれがある。
【０００５】
本発明の目的は、雄側ねじ山と雌側ねじ山との螺合状態の解除を抑制可能な薬剤体容器を提供することである。
【課題を解決するための手段】
【０００６】
前記課題を解決するために、本発明は、薬剤を含むとともに保形性を有する薬剤体を収容するための収容空間を有する薬剤体容器であって、上方に開口する筒状であり、前記薬剤体を支持する支持部材と、下方に開口する筒状であり、前記支持部材と螺合することにより前記支持部材とともに前記収容空間を形成するカバー部材と、を備え、前記支持部材及び前記カバー部材のいずれか一方は雄ねじ部を有し、他方は、前記雄ねじ部に対して外側から螺合する雌ねじ部を有し、前記雄ねじ部は、円筒状の雄ねじ部本体と、前記雄ねじ部本体の外周面から外向きに突出する雄側ねじ山とを有し、前記雌ねじ部は、前記雄ねじ部本体の径よりも大きな径を有する円筒状の雌ねじ部本体と、前記雄側ねじ山と螺合するように前記雌ねじ部本体の内周面から内側に突出する雌側ねじ山とを有し、前記支持部材及び前記カバー部材のうち前記雄ねじ部を有する部材は、前記雄側ねじ山と前記雌側ねじ山とが互いに螺合した螺合状態において前記雌ねじ部本体の外周面と隙間をおいて対向する対向壁をさらに有し、この対向壁は、前記雌ねじ部本体が前記雄ねじ部に対して外向きに相対変位したときに前記雌ねじ部本体の外周面に対して当該雌ねじ部本体の径方向の外側から当接することにより前記雄側ねじ山と前記雌側ねじ山とを上下方向に互いに重なり合っている状態に維持する内側拘束部を有する薬剤体容器を提供する。
【０００７】
本薬剤体容器では、当該容器が落下する等して前記支持部材及び前記カバー部材のいずれか一方の部材に外力が作用することによって当該部材が撓み変形し、これにより前記雌側ねじ山が前記雄側ねじ山から径方向に離間するように前記雌ねじ部本体が前記雄ねじ部に対して外側に相対変位したとしても、前記対向壁の内側拘束部が前記雌ねじ部本体の外周面に外側から当接することで前記雄側ねじ山と前記雌側ねじ山とが上下方向に重なり合っている状態が維持される。換言すれば、前記雌側ねじ山が前記雄側ねじ山から径方向に離間するまで前記雌ねじ部本体が前記雄ねじ部に対して外側に相対変位する前に、前記雌ねじ部本体の外周面が前記内側拘束部に対して内側から当接する。よって、本薬剤体容器に外力が作用した場合であっても、両ねじ山の螺合状態の解除が抑制される。したがって、薬剤体に離水が生じている場合に当該離水が前記支持部材と前記カバー部材との隙間から薬剤体容器外に飛散したり、あるいは薬剤体が崩壊してその一部が前記隙間から薬剤体容器外に飛散したりするのが抑制される。
【０００８】
この場合において、前記内側拘束部は、前記雌ねじ部本体の周方向に沿って連続的につながる形状を有することが好ましい。
【０００９】
このようにすれば、前記雌ねじ部本体の外周面のうちいずれの部位が前記雄ねじ部に対して外側に相対変位したとしても、当該部位が前記内側拘束部に当接する。よって、薬剤体容器に外力が作用した際に両ねじ山の螺合状態が解除されるのが一層抑制される。
【００１０】
また、本発明において、前記支持部材が、前記雄ねじ部及び前記対向壁に加え、前記対向壁の下端と前記雄ねじ部本体の外周面とを接続する接続壁を有し、前記カバー部材が、前記雌ねじ部を有してもよい。この場合、前記接続壁は、前記周方向に沿って連続的につながる形状を有しており、その上端が前記周方向の全域にわたって前記対向壁の下端につながるとともにその下端が前記周方向の全域にわたって前記雄ねじ部本体の外周面につながっていることが好ましい。
【００１１】
この態様では、薬剤体容器に外力が作用した際に両ねじ山の螺合状態が解除されるのが抑制され、さらに、薬剤体の表面に離水が生じており、カバー部材が支持部材から取り外されたときにその離水が前記雄ねじ部の外側に流出したとしても、当該離水は、前記雄ねじ部の外周面、前記内側拘束部を含む対向壁の内周面、及び前記接続壁の内周面で囲まれる空間に収容されるので、支持部材からの離水の漏れが抑制される。すなわち、両ねじ山の螺合状態の解除を抑制する機能を有する対向壁を前記雄ねじ部の外周面に接続するための接続部が、前記周方向に沿って連続的につながる形状を有しており、かつその上端が前記周方向の全域にわたって前記対向壁の下端につながるとともにその下端が前記周方向の全域にわたって前記雄ねじ部本体の外周面につながっているので、前記対向壁及び前記接続壁は、互いに協働することにより前記雄ねじ部の外側に流出した離水を受ける部位としても機能する。
【００１２】
この場合において、前記支持部材は、前記薬剤体の下部を保持する円筒状の保持部をさらに有し、前記雄ねじ部本体は、その内周面で前記薬剤体を保持するように当該内周面が前記薬剤体の外周面に当接する形状を有しかつその下端が前記保持部の上端に接続されていることが好ましい。
【００１３】
このようにすれば、前記保持部に加えて雄ねじ部本体の内周面によっても前記薬剤体が保持され、しかも、この雄ねじ部本体と前記保持部とが当該雄ねじ部本体の径方向に重なることなく上下方向に並ぶので、薬剤体の適切な保持と支持部材の径方向の寸法の短縮との双方が達成される。
【００１４】
あるいは、本発明において、前記支持部材が、前記雌ねじ部を有し、前記カバー部材が、前記雄ねじ部及び前記対向壁に加え、前記対向壁の上端と前記雄ねじ部本体の外周面とを接続する接続壁と、少なくとも下方に開口する円筒状であり前記薬剤体の上部を覆うカバー本体とを有してもよい。この場合、前記雄ねじ部本体は、その内周面で前記薬剤体を保持するように当該内周面が前記薬剤体の外周面に当接する形状を有しかつその上端が前記カバー本体の下端に接続されていることが好ましい。
【００１５】
この態様では、前記支持部材に加えて雄ねじ部本体の内周面によっても前記薬剤体が保持され、しかも、前記カバー本体と前記雄ねじ部本体とが当該雄ねじ部本体の径方向に重なることなく上下方向に並ぶので、薬剤体の適切な保持とカバー部材の径方向の寸法の短縮との双方が達成される。
【発明の効果】
【００１６】
以上のように、本発明によれば、雄側ねじ山と雌側ねじ山との螺合状態の解除を抑制可能な薬剤体容器を提供することができる。
【図面の簡単な説明】
【００１７】
【図１】本発明の第一実施形態の薬剤体容器の側面図である。
【図２】図１に示すＩＩ−ＩＩ線での断面図である。
【図３】図２に示す雄ねじ部及び雌ねじ部の近傍を示す断面図である。
【図４】本発明の第二実施形態の薬剤体容器の雄ねじ部及び雌ねじ部の近傍を示す断面図である。
【発明を実施するための形態】
【００１８】
以下、本発明を実施するための形態について、図面を参照しながら詳細に説明する。
【００１９】
（第一実施形態）
本発明の第一実施形態の薬剤体容器について、図１〜図３を参照しながら説明する。なお、以下の説明における上下及び左右の各方向は、図１及び図２に基づいている。本薬剤体容器は、保形性を有する薬剤体１０（図２を参照）を収容するための収容空間を有している。この収容空間に収容される薬剤体１０には、芳香剤、消臭剤、脱臭剤等の薬剤が含まれている。本実施形態では、薬剤体１０はゲル状である。
【００２０】
本実施形態の薬剤体容器は、図１及び図２に示されるように、薬剤体１０を支持する支持部材２０と、この支持部材２０とともに前記収容空間を形成するカバー部材４０とを備えている。
【００２１】
図２に示されるように、支持部材２０は、保持部２２と、カバー部材４０に対して内側から螺合する雄ねじ部２５と、円筒部２８と、規制片２９とを有する。
【００２２】
保持部２２は、薬剤体１０の下部を保持する。具体的に、保持部２２は、円筒状の把持部２３と、底壁２４とを有する。
【００２３】
把持部２３は、薬剤体１０の下部をその周囲から取り囲む形状を有する。把持部２３の外周面にはローレットが形成されている。底壁２４は、把持部２３の下端に接続されており、その中央に形成された中央開口を除いて把持部２３の下側の開口を塞ぐ形状を有する。
【００２４】
雄ねじ部２５は、円筒状の雄ねじ部本体２６と、この雄ねじ部本体２６の外周面２６ａから外向きに突出する形状の雄側ねじ山２７とを有する。本実施形態では、雄ねじ部本体２６の下端は、円筒状の把持部２３の上端に接続されている。雄ねじ部本体２６の内周面は、把持部２３の内周面と上下方向に滑らかにつながっている。このため、保持部２２に加え、雄ねじ部本体２６によっても薬剤体１０を支持することが可能となっている。
【００２５】
円筒部２８は、底壁２４の中央開口の周縁部から上方に向かって突出する形状を有する。図２に示されるように、円筒部２８の内周面には、段部２８ａが形成されている。本実施形態では、特定の支持部材２０の円筒部２８内に前記中央開口を通じて当該特定の支持部材２０とは別の支持部材２０の円筒部２８が挿入されたときに前記特定の支持部材２０の円筒部２８の段部２８ａに前記別の支持部材２０の円筒部２８の上端２８ｂが当接するように段部２８ａの形状が設定されている。すなわち、軸方向に複数個の支持部材２０が重ね合わされることが可能となっている。
【００２６】
規制片２９は、薬剤体１０の下部に食い込むことにより保持部２２及び円筒部２８に対する薬剤体１０の相対回転を規制する形状を有する。規制片２９は、底壁２４の上面及び円筒部２８の下端部の外周面に接続されている。
【００２７】
カバー部材４０は、薬剤体１０の上部を覆うカバー本体４２と、雄ねじ部２５に対して外側から螺合する雌ねじ部４７とを有する。
【００２８】
カバー本体４２は、筒体４４と、閉塞部４５と、張出部４６とを有する。
【００２９】
筒体４４は、上下方向に開口する筒状でありかつその軸方向（図１及び図２の上下方向）と直交する方向（図１及び図２の左右方向）の断面が前記軸方向の全域にわたって円形である。図２及び図３に示されるように、筒体４４の下端４４ａは、雄ねじ部２５と雌ねじ部４７とが互いに螺合した螺合状態において、雄ねじ部本体２６の上端に周方向について全周にわたって食い込む形状に形成されている。筒体４４の外周面には、段部４４ｂが形成されている。本実施形態では、特定のカバー部材４０の筒体４４内に当該特定のカバー部材４０とは別のカバー部材４０の筒体４４が挿入されたときに前記特定のカバー部材４０の筒体４４の下端部近傍の内周面が前記別のカバー部材４０の筒体４４の段部４４ｂに当接するように段部４４ｂの形状が設定されている。すなわち、軸方向に複数個のカバー部材４０が重ね合わされることが可能となっている。
【００３０】
閉塞部４５は、図２に示されるように、筒体４４の上側の開口を取り囲む内周面と円筒部２８の上端の外周面との間に形成される環状の開口を閉塞する円環状の天板４５ａと、天板４５ａの下面に接続されており筒体４４の上端に係合する第一爪部４５ｂと、天板４５ａの下面に接続されており円筒部２８の上端に係合する第二爪部４５ｃとを有する。
【００３１】
張出部４６は、筒体４４の下部の外周面から当該筒体４４の径方向の外向きに張出す形状を有する。
【００３２】
雌ねじ部４７は、円筒状の雌ねじ部本体４８と、この雌ねじ部本体４８の内周面４８ａから内向きに突出する形状の雌側ねじ山４９とを有する。
【００３３】
雌ねじ部本体４８は、雄ねじ部本体２６よりも一回り大きな径を有している。雌ねじ部本体４８の上端は、張出部４６の下面に接続されている。雌側ねじ山４９は、雄側ねじ山２７と螺合する形状を有する。
【００３４】
本実施形態では、支持部材２０は、対向壁３２及び接続壁３４をさらに有している。
【００３５】
対向壁３２は、前記螺合状態において雌ねじ部本体４８の外周面４８ｂと径方向に隙間をおいて対向する形状を有する。具体的に、対向壁３２は、雌ねじ部本体４８よりも一回り大きな径を有する円筒状を呈する。図３に示されるように、対向壁３２は、雌ねじ部本体４８が雄ねじ部２５に対して外向きに相対変位したときに雌ねじ部本体４８の外周面４８ｂに対して径方向の外側から当接する内側拘束部３２ａを有する。この内側拘束部３２ａは、雄ねじ部２５に対して外向きに相対変位する雌ねじ部本体４８の外周面４８ｂに当接することにより、雄側ねじ山２７と雌側ねじ山４９とを上下方向に互いに重なり合っている状態に維持する。本実施形態では、対向壁３２の内周面の一部が内側拘束部３２ａを構成している。具体的に、内側拘束部３２ａは、対向壁３２の内周面のうちの下端部であって雌ねじ部本体４８の外周面４８ｂの下端部と対向する位置に形成されており、上方に向かうにしたがって次第に外側に向かうように傾斜する傾斜面となっている。内側拘束部３２ａは、雌ねじ部本体４８の周方向に沿って連続的につながっている。対向壁３２の内周面のうち内側拘束部３２ａの上端から上側の部位は、内側拘束部３２ａの上端の径と同じ径に設定されている。内側拘束部３２ａの下端と雌ねじ部本体４８の外周面４８ｂの下端との隙間の径方向の寸法は、前記螺合状態において雌側ねじ山４９のうち当該雌側ねじ山４９が雄側ねじ山２７と上下方向に重なっている部分の径方向の寸法よりも小さく設定されている。
【００３６】
接続壁３４は、対向壁３２の下端と雄ねじ部本体２６の外周面２６ａとを接続する形状を有する。接続壁３４は、周方向に沿って連続的につながる形状を有している。接続壁３４の上端は、周方向の全域にわたって対向壁３２の下端につながっており、接続壁３４の下端は、周方向の全域にわたって雄ねじ部本体２６の外周面２６ａにつながっている。接続壁３４の内周面の上端は、内側拘束部３２ａの下端とつながっている。
【００３７】
続いて、本実施形態の薬剤体容器の中に薬剤体１０を供給する工程について説明する。
【００３８】
まず、筒体４４から閉塞部４５を取り外す。そして、支持部材２０に対してカバー部材４０のうち閉塞部４５以外の部分を取り付ける。具体的に、雄ねじ部２５と対向壁３２との間に雌ねじ部４７が位置するようにカバー部材４０のうち閉塞部４５以外の部分を支持部材２０に対して上方から組み付け、雄側ねじ山２７と雌側ねじ山４９とが互いに螺合するようにカバー部材４０のうち閉塞部４５以外の部分を支持部材２０に対して相対回転させる。ここで、雄ねじ部本体２６の外周面２６ａと対向壁３２の内周面との間の径方向の寸法は、下方に向かうにしたがって次第に小さくなることから、仮に筒体４４が把持部２３に対して正規の姿勢から傾斜した姿勢で雄側ねじ山２７と雌側ねじ山４９との螺合が進行したとしても、雌ねじ部本体４８の外周面４８ｂの下端が内側拘束部３２ａ上を下方に向かって摺動することにより、筒体４４が把持部２３に対して正規の姿勢となるような誘導を受ける。よって、筒体４４が正規の姿勢から傾斜した姿勢で把持部２３に装着されるといった不具合の発生が抑制される。
【００３９】
雄側ねじ山２７と雌側ねじ山４９とが互いに螺合する螺合状態となったとき、筒体４４の下端４４ａが雄ねじ部本体２６の上端に食い込む。この状態において、内側拘束部３２ａを含む対向壁３２の内周面が径方向に隙間をおいて雌ねじ部本体４８の外周面４８ｂと対向している。また、この螺合状態において、内側拘束部３２ａの下端と雌ねじ部本体４８の外周面４８ｂの下端との隙間の径方向の寸法は、雌側ねじ山４９のうち当該雌側ねじ山４９が雄側ねじ山２７と上下方向に重なり合っている部分の径方向の寸法よりも小さくなっている。
【００４０】
次に、筒体４４の上側の開口を取り囲む内周面と円筒部２８の上端２８ｂの外周面との間に形成される環状の開口から、筒体４４、雄ねじ部本体２６及び把持部２３の内周面と円筒部２８の外周面との間の収容空間内に、流動性を有する薬剤体形成材を充填する。この薬剤体形成材は、固化することにより薬剤体１０となる。そして、筒体４４の上端に閉塞部４５を取り付ける。これにより、前記収容空間が密閉される。具体的に、雄側ねじ山２７と雌側ねじ山４９とが互いに螺合したときに筒体４４の下端４４ａが雄ねじ部本体２６の上端に周方向の全域にわたって食い込んでいるので、あとは筒体４４の上端に閉塞部４５を取り付けることによって前記収容空間が密閉される。
【００４１】
その後、前記薬剤体形成材が固化することにより保形性を有する薬剤体１０が形成される。このようにして薬剤体容器内への薬剤体１０の供給が行われる。
【００４２】
この薬剤体容器では、落下するなどして当該容器に外力が作用したとしても、カバー部材４０が支持部材２０から離脱するのが抑制される。具体的に、支持部材２０及びカバー部材４０のいずれか一方の部材に外力が作用することによって当該部材が撓み変形し、これにより雌側ねじ山４９が雄側ねじ山２７から径方向に離間するように雌ねじ部本体４８が雄ねじ部２５に対して外側に相対変位したとしても、対向壁３２の内側拘束部３２ａが雌ねじ部本体４８の外周面４８ｂに外側から当接することで雄側ねじ山２７と雌側ねじ山４９とが上下方向に重なり合っている状態が維持される。換言すれば、雌側ねじ山４９が雄側ねじ山２７から径方向に離間するまで雌ねじ部本体４８が雄ねじ部２５に対して外側に相対変位する前に、雌ねじ部本体４８の外周面４８ｂが内側拘束部３２ａに対して内側から当接する。よって、薬剤体容器に外力が作用した場合であっても、両ねじ山２７，４９の螺合状態が解除されるのが抑制される。したがって、薬剤体１０に離水が生じている場合に当該離水が支持部材２０とカバー部材４０との隙間から薬剤体容器外に飛散したり、あるいは薬剤体１０が崩壊してその一部が前記隙間から薬剤体容器外に飛散したりするのが抑制される。
【００４３】
また、本実施形態では、内側拘束部３２ａは、雌ねじ部本体４８の周方向に沿って連続的につながる形状であることから、雌ねじ部本体４８の外周面４８ｂのうちいずれの部位が雄ねじ部２５に対して外側に相対変位したとしても、当該部位が内側拘束部３２ａに当接する。よって、薬剤体容器に外力が作用した際に両ねじ山２７，４９の螺合状態が解除されるのが一層抑制される。
【００４４】
続いて、薬剤体容器内の薬剤体１０を外部に露出させる工程について説明する。
【００４５】
まず、雄側ねじ山２７と雌側ねじ山４９との螺合が外れる方向に沿って支持部材２０に対してカバー部材４０を相対回転させる。そして、雄側ねじ山２７と雌側ねじ山４９との螺合が外れた後、支持部材２０に対してカバー部材４０を上方に変位させることで当該カバー部材４０を支持部材２０から取り外す。これにより、薬剤体１０の上部が外部に露出する。
【００４６】
ここで、薬剤体１０の表面に離水が生じており、カバー部材４０が支持部材２０から取り外されたときにその離水が雄ねじ部２５の外側に流出したとしても、当該離水は、雄ねじ部２５の外周面、内側拘束部３２ａを含む対向壁３２の内周面、及び接続壁３４の内周面で囲まれる空間に収容される。よって、支持部材２０からの離水の漏れが抑制される。
【００４７】
以上説明したように、本実施形態の薬剤体容器では、当該容器に外力が作用したとしても、両ねじ山２７，４９の螺合状態が解除されることが抑制され、しかも、離水が雄ねじ部２６の外側に流出したとしても、当該離水の支持部材２０からの漏れが抑制される。すなわち、両ねじ山２７，４９の螺合状態の解除を抑制する機能を有する対向壁３２を雄ねじ部本体２６の外周面２６ａに接続するための接続部３４が、前記周方向に沿って連続的につながる形状を有しており、かつその上端が前記周方向の全域にわたって対向壁３２の下端につながるとともにその下端が前記周方向の全域にわたって雄ねじ部本体２６の外周面２６ａにつながっているので、対向壁３２及び接続壁３４は、互いに協働することにより雄ねじ部２５の外側に流出した離水を受ける部位としても機能する。
【００４８】
また、本実施形態では、保持部２２に加えて雄ねじ部本体２６の内周面によっても薬剤体１０が保持され、しかも、この雄ねじ部本体２６と把持部２３とが径方向に重なることなく上下方向に並ぶので、薬剤体１０の適切な保持と支持部材２０の径方向の寸法の短縮との双方が達成される。
【００４９】
さらに、本実施形態では、支持部材２０は、軸方向に重ね合わされることが可能であるので、複数の支持部材２０を省スペースで保管すること及び搬送することが可能となる。また、複数の支持部材２０が互いに重ね合わされた状態で保管及び搬送されることにより、各支持部材２０の破損が抑制される。このことは、カバー部材４０についても同様である。
【００５０】
（第二実施形態）
図４は、本発明の第二実施形態の薬剤体容器の構成を示している。なお、第二実施形態では、第一実施形態と異なる部分についてのみ説明を行い、第一実施形態と同じ構造、作用及び効果の説明は省略する。
【００５１】
本実施形態の薬剤体容器は、支持部材２０が雌ねじ部４７を有しており、カバー部材４０が雄ねじ部２５、対向壁３２及び接続壁３４を有している。
【００５２】
雌ねじ部４７の雌ねじ部本体４８は、把持部２３よりも一回り大きな径を有しており、把持部２３の外周面の上端に接続されている。
【００５３】
雄ねじ部２５の雄ねじ部本体２６は、カバー本体４２の筒体４４の下端に接続されている。雄ねじ部本体２６の内周面と筒体４４の内周面とは上下方向に滑らかにつながっている。このため、筒体４４に加え、雄ねじ部本体２６によっても薬剤体１０を支持することが可能となっている。把持部２３の上端は、雄側ねじ山２７と雌側ねじ山４９とが互いに螺合したときに雄ねじ部本体２６の下端に食い込む形状に形成されている。
【００５４】
対向壁３２の内側拘束部３２ａは、対向壁３２の内周面のうちの上端部であって雌ねじ部本体４８の外周面４８ｂの上端部と対向する位置に形成されており、下方に向かうにしたがって次第に外側に向かうように傾斜する傾斜面となっている。内側拘束部３２ａの上端と雌ねじ部本体４８の外周面４８ｂの上端との隙間の径方向の寸法は、前記螺合状態において雌側ねじ山４９のうち当該雌側ねじ山４９が雄側ねじ山２７と上下方向に重なっている部分の径方向の寸法よりも小さく設定されている。
【００５５】
接続壁３４は、対向壁３２の上端と雄ねじ部本体２６の外周面２６ａとを接続する形状を有する。接続壁３４の下端は、周方向の全域にわたって対向壁３２の上端につながっており、接続壁３４の上端は、周方向の全域にわたって雄ねじ部本体２６の外周面２６ａにつながっている。接続壁３４の内周面の下端は、内側拘束部３２ａの上端とつながっている。
【００５６】
本実施形態の薬剤体容器においても、当該薬剤体容器に外力が作用した際にカバー部材４０が支持部材２０から離脱すること、すなわち両ねじ山２７，４９の螺合状態が解除されることが抑制される。その具体的なメカニズムは、上記第一実施形態のそれと同様である。
【００５７】
また、本実施形態では、支持部材２０に加えて雄ねじ部本体２６の内周面によっても薬剤体１０が保持され、しかも、筒体４４と雄ねじ部本体２６とが径方向に重なることなく上下方向に並ぶので、薬剤体１０の適切な保持とカバー部材４０の径方向の寸法の短縮との双方が達成される。
【００５８】
なお、今回開示された上記実施形態は、すべての点で例示であって、制限的なものではないと考えられるべきである。本発明の範囲は、上記した実施形態の説明ではなく、特許請求の範囲によって示され、さらに特許請求の範囲と均等の意味および範囲内でのすべての変更が含まれる。
【００５９】
例えば、上記第一実施形態では、雄ねじ部本体２６の下端が把持部２３の上端に接続されることにより、雄ねじ部本体２６が把持部２３と径方向に重なることなく把持部２３と上下方向に並ぶ例が示されたが、雄ねじ部本体２６と把持部２３とが径方向に重なるように構成されてもよい。例えば、雄ねじ部本体２６が把持部２３よりも一回り大きな径を有しており、この雄ねじ部本体２６が、把持部２３の上端ではなく当該把持部２３の外周面に接続されてもよい。この場合、筒体４４の下端４４ａは、前記螺合状態において把持部２３の上端に食い込むように設定されてもよい。
【００６０】
また、上記第二実施形態では、雄ねじ部本体２６の上端が筒体４４の下端に接続されることにより、雄ねじ部本体２６が筒体４４と径方向に重なることなく筒体４４と上下方向に並ぶ例が示されたが、雄ねじ部本体２６と筒体４４とが径方向に重なるように構成されてもよい。例えば、雄ねじ部本体２６が筒体４４の下端部よりも一回り大きな径を有しており、この雄ねじ部本体２６が、筒体４４の下端ではなく当該筒体４４の外周面に接続されてもよい。
【００６１】
また、上記第一実施形態では、対向壁３２の内側拘束部３２ａが、その下端から上方に向かうにしたがって次第に径方向の外側に広がるように傾斜する傾斜面であり、上記第二実施形態では、内側拘束部３２ａが、その上端から下方に向かうにしたがって次第に径方向の外側に広がるように傾斜する傾斜面である例がそれぞれ示されたが、雌ねじ部本体４８の外周面４８ｂに外側から当接することで雄側ねじ山２７と雌側ねじ山４９とを上下方向に重なり合っている状態に維持可能であれば、内側拘束部３２ａの形状はこれらに限られない。例えば、内側拘束部３２ａは、対向壁３２の内周面の全体、すなわち上下方向の全域にわたって雌ねじ部本体４８の外周面４８ｂと径方向に一定の隙間をおいて対向する形状であってもよいし、対向壁３２の内周面のうちの上下方向の任意の部位から内向きに突出する形状であってもよい。
【００６２】
また、本実施形態の薬剤体容器は、詰替え用の容器として用いられてもよい。すなわち、本薬剤体容器の外側を覆う形状を有する化粧用のカバー容器内に本薬剤体容器が装着されてもよい。この場合、その内部に薬剤体１０を収容した状態の薬剤体容器からカバー部材４０が取り外されたものが前記カバー容器内に装着される。このようにすれば、薬剤体１０の外部への露出が回避される。
【符号の説明】
【００６３】
１０    薬剤体
２０    支持部材
２２    保持部
２３    把持部
２５    雄ねじ部
２６    雄ねじ部本体
２７    雄側ねじ山
３２    対向壁
３２ａ  内側拘束部
３４    接続壁
４０    カバー部材
４２    カバー本体
４４    筒体
４７    雌ねじ部
４８    雌ねじ部本体
４８ａ  雌ねじ部本体の内周面
４８ｂ  雌ねじ部本体の外周面
４９    雌側ねじ山
【図１】
2015067313.tif 000003
【図２】
2015067313.tif 000004
【図３】
2015067313.tif 000005
【図４】
2015067313.tif 000006